(57)【要約】【課題】本発明は水晶電気スタンドを開示した。【解決手段】本発明の水晶電気スタンドは電気スタンド台座を含み、前記電気スタンド台座の中には楕円形溝が設置され、前記楕円形溝の中には輝度機構が設置され、前記輝度機構は前記楕円形溝の下端壁と固定的に連結されるカウンタウェイトを含み、前記カウンタウェイトの上端面には中心軸が回転できるように設置され、前記中心軸の左端面には短ロッドが固定的に設置され、前記中心軸の後端面には伝動ロッドが固定的に設置され、この装置は重心が低く、楕円形の形状をしており、衝撃を受けても倒れにくく、安定性が良く、ユーザーの要求に従って、光強度と水晶アクセサリーの長さを自由に調整し、美観性を変えることができ、取り外しも便利であり、洗いも簡単である。【選択図】図１
2020177892.tif 000002
【特許請求の範囲】
【請求項１】
電気スタンド台座を含み、前記電気スタンド台座の中には楕円形溝が設置され、前記楕円形溝の中には輝度機構が設置され、前記輝度機構は前記楕円形溝の下端壁と固定的に連結されるカウンタウェイトを含み、前記カウンタウェイトの上端面には中心軸が回転できるように設置され、前記中心軸の左端面には短ロッドが固定的に設置され、前記中心軸の後端面には伝動ロッドが固定的に設置され、前記楕円形溝の左端壁には外部と前記楕円形溝と連通している弧形溝が設置され、前記弧形溝の中には弧形板がスライドできるように設置され、前記弧形板の左端面には左端が外部に位置している調節ブロックは固定的に設置され、前記弧形板の右端面には右端が前記楕円形溝の中に位置している長ロッドが固定的に設置され、前記長ロッドと前記短ロッドとが短ロープにより連結され、前記楕円形溝の後端壁にはすべり抵抗器が固定的に設置され、前記すべり抵抗器の中には抵抗値溝が設置され、前記抵抗値溝の中には前端が前記楕円形溝の中に位置している可変抵抗ブロックがスライドできるように設置され、前記可変抵抗ブロックの左端面と前記伝動ロッドの右端面とが横向きロープにより連結され、前記輝度機構の上側には水晶機構が設置され、前記水晶機構は前記電気スタンド台座の上端面と固定的に連結される円柱形ブロックを含み、前記円柱形ブロックの中には上方に開口している円柱形溝が設置され、前記円柱形溝の左右端壁には移動溝が対称的に設置され、前記円柱形ブロックの中には曲がったワイヤーが左右対称的に植設され、前記円柱形ブロックの左右端面には支持ロッドが対称的に設置され、前記支持ロッドのうち前記円柱形ブロックから離れている一端には電球が固定的に設置され、前記円柱形ブロックの下側において電気スタンド台座の中には金属ブロックが左右に対称的に植設され、前記曲がったワイヤーが前記金属ブロックと前記電球と連通しており、前記可変抵抗ブロックが二つの弧形ワイヤーにより前記金属ブロックと連通しており、前記弧形溝の上端壁の中には前記楕円形溝と外部とを連通しているアーク溝が設置され、前記アーク溝の中にはアークブロックがスライドできるように設置され、前記アークブロックの左端面には左端が外部に位置ているコントロールパネルは固定的に設置され、前記アークブロックの右端面には右端が前記楕円形溝の中に位置ている回転ロッドは固定的に設置され、前記回転ロッドの右端にはねじ山ブロックが固定的に設置され、前記ねじ山ブロックの中には上端が前記円柱形溝を貫通しているねじ山ロッドがねじ山により設置され、前記円柱形溝の中において前記ねじ山ロッドの左右端面には短ブロックが対称的に固定的に設置され、前記短ブロックのうち前記円柱形溝から離れている一端が前記移動溝の中に位置しており、また、前記調節ブロックをプッシュして前記伝動ロッドを回転連動させることができ、それにより前記可変抵抗ブロックを左右に運動連動させ、前記コントロールパネルをプッシュして、前記ねじ山ブロックと前記ねじ山ロッドとのねじ山係合により、前記ねじ山ロッドを上下に運動連動させることができることができることを特徴とする水晶電気スタンド。
【請求項２】
前記カウンタウェイトの中には電源溝が設置され、前記電源溝の下端壁には電源ボックスが固定的に設置され、前記電源ボックスと前記すべり抵抗器とが前記垂直ワイヤーにより連結され、前記電源溝の右端壁の中には充電ソケットが植設され、前記充電ソケットと前記電源ボックスとが充電ワイヤーにより連通され、また、前記充電ソケットが前記電源ボックスに充電でき、前記電源ボックスがオンされる時に、前記垂直ワイヤーの伝導により、前記すべり抵抗器に電力を供給することができることができることを特徴とする請求項１に記載の水晶電気スタンド。
【請求項３】
前記円柱形ブロックの上側にはランプシェードが設置され、前記ランプシェードの中には前記ランプシェードの上下端面を貫通している台形溝が設置され、前記台形溝の端壁には六つの傾斜ブロックが均一に固定的に設置され、前記傾斜ブロックの中には前記台形溝に連通している傾斜溝が設置され、前記円柱形ブロックの上端面には前記傾斜溝の中に位置しているまた前記傾斜溝とスライドできるように連結される六つの傾斜ロッドが均一に固定的に設置され、前記傾斜ブロックの下側にある前記台形溝の端壁には四つのＵ型ブロックが均一に固定的に設置され、前記Ｕ型ブロックの中には前記Ｕ型ブロックの上下端面を貫通しているガイド溝が設置され、前記ねじ山ロッドには前記ガイド溝と前記台形溝とを貫通している四つのガイドラインが均一に固定的に設置され、前記ガイドラインには三つの水晶アクセサリーが均一に固定的に設置され、また、前記ねじ山ロッドが上昇する時に前記ガイドラインを引き動かし上に運動させることができ、それにより前記水晶アクセサリーを上に運動連動させることができることを特徴とする請求項１に記載の水晶電気スタンド。
【発明の詳細な説明】
【技術分野】
【０００１】
本発明は水晶分野に関わり、具体的には水晶電気スタンドである。
【背景技術】
【０００２】
水晶電気スタンドはその美しい外観のため家庭のベッドの装飾に多く使われ、便利な照明を提供することができ、また一定の美観効果があり、既存の水晶電気スタンドは衝撃を受けて壊れやすく、装飾品として調節できなく、特別な場合に使うのは比較的に恥ずかしい。
【先行技術文献】
【特許文献】
【０００３】
【特許文献１】中国特許出願公開第１０５７８２８７１号明細書
【発明の概要】
【発明が解決しようとする課題】
【０００４】
本発明は水晶電気スタンドを提供し、以上の背景技術にある欠点を解消することを目的とする。
【課題を解決するための手段】
【０００５】
上記の課題を解決するため、本発明は以下の技術プランを提供する：本発明の水晶電気スタンドは電気スタンド台座を含み、前記電気スタンド台座の中には楕円形溝が設置され、前記楕円形溝の中には輝度機構が設置され、前記輝度機構は前記楕円形溝の下端壁と固定的に連結されるカウンタウェイトを含み、前記カウンタウェイトの上端面には中心軸が回転できるように設置され、前記中心軸の左端面には短ロッドが固定的に設置され、前記中心軸の後端面には伝動ロッドが固定的に設置され、前記楕円形溝の左端壁には外部と前記楕円形溝と連通している弧形溝が設置され、前記弧形溝の中には弧形板がスライドできるように設置され、前記弧形板の左端面には左端が外部に位置している調節ブロックは固定的に設置され、前記弧形板の右端面には右端が前記楕円形溝の中に位置している長ロッドが固定的に設置され、前記長ロッドと前記短ロッドとが短ロープにより連結され、前記楕円形溝の後端壁にはすべり抵抗器が固定的に設置され、前記すべり抵抗器の中には抵抗値溝が設置され、前記抵抗値溝の中には前端が前記楕円形溝の中に位置している可変抵抗ブロックがスライドできるように設置され、前記可変抵抗ブロックの左端面と前記伝動ロッドの右端面とが横向きロープにより連結され、前記輝度機構の上側には水晶機構が設置され、前記水晶機構は前記電気スタンド台座の上端面と固定的に連結される円柱形ブロックを含み、前記円柱形ブロックの中には上方に開口している円柱形溝が設置され、前記円柱形溝の左右端壁には移動溝が対称的に設置され、前記円柱形ブロックの中には曲がったワイヤーが左右対称的に植設され、前記円柱形ブロックの左右端面には支持ロッドが対称的に設置され、前記支持ロッドのうち前記円柱形ブロックから離れている一端には電球が固定的に設置され、前記円柱形ブロックの下側において電気スタンド台座の中には金属ブロックが左右に対称的に植設され、前記曲がったワイヤーが前記金属ブロックと前記電球と連通しており、前記可変抵抗ブロックが二つの弧形ワイヤーにより前記金属ブロックと連通しており、前記弧形溝の上端壁の中には前記楕円形溝と外部とを連通しているアーク溝が設置され、前記アーク溝の中にはアークブロックがスライドできるように設置され、前記アークブロックの左端面には左端が外部に位置ているコントロールパネルは固定的に設置され、前記アークブロックの右端面には右端が前記楕円形溝の中に位置ている回転ロッドは固定的に設置され、前記回転ロッドの右端にはねじ山ブロックが固定的に設置され、前記ねじ山ブロックの中には上端が前記円柱形溝を貫通しているねじ山ロッドがねじ山により設置され、前記円柱形溝の中において前記ねじ山ロッドの左右端面には短ブロックが対称的に固定的に設置され、前記短ブロックのうち前記円柱形溝から離れている一端が前記移動溝の中に位置しており、また、前記調節ブロックをプッシュして前記伝動ロッドを回転連動させることができ、それにより前記可変抵抗ブロックを左右に運動連動させ、前記コントロールパネルをプッシュして、前記ねじ山ブロックと前記ねじ山ロッドとのねじ山係合により、前記ねじ山ロッドを上下に運動連動させることができる。
【０００６】
さらなる技術プラントには、前記カウンタウェイトの中には電源溝が設置され、前記電源溝の下端壁には電源ボックスが固定的に設置され、前記電源ボックスと前記すべり抵抗器とが前記垂直ワイヤーにより連結され、前記電源溝の右端壁の中には充電ソケットが植設され、前記充電ソケットと前記電源ボックスとが充電ワイヤーにより連通され、また、前記充電ソケットが前記電源ボックスに充電でき、前記電源ボックスがオンされる時に、前記垂直ワイヤーの伝導により、前記すべり抵抗器に電力を供給することができる。
【０００７】
さらなる技術プラントには、前記円柱形ブロックの上側にはランプシェードが設置され、前記ランプシェードの中には前記ランプシェードの上下端面を貫通している台形溝が設置され、前記台形溝の端壁には六つの傾斜ブロックが均一に固定的に設置され、前記傾斜ブロックの中には前記台形溝に連通している傾斜溝が設置され、前記円柱形ブロックの上端面には前記傾斜溝の中に位置しているまた前記傾斜溝とスライドできるように連結される六つの傾斜ロッドが均一に固定的に設置され、前記傾斜ブロックの下側にある前記台形溝の端壁には四つのＵ型ブロックが均一に固定的に設置され、前記Ｕ型ブロックの中には前記Ｕ型ブロックの上下端面を貫通しているガイド溝が設置され、前記ねじ山ロッドには前記ガイド溝と前記台形溝とを貫通している四つのガイドラインが均一に固定的に設置され、前記ガイドラインには三つの水晶アクセサリーが均一に固定的に設置され、また、前記ねじ山ロッドが上昇する時に前記ガイドラインを引き動かし上に運動させることができ、それにより前記水晶アクセサリーを上に運動連動させる。
【発明の効果】
【０００８】
以上のように、本発明の有益な効果には：この装置は重心が低く、楕円形の形状をしており、衝撃を受けても倒れにくく、安定性が良く、ユーザーの要求に従って、光強度と水晶アクセサリーの長さを自由に調整し、美観性を変えることができ、取り外しも便利であり、洗いも簡単である。
【図面の簡単な説明】
【０００９】
次に図１−３を合わせて本発明を詳しく説明し、意思の疎通にもっと便利なため、後文に出る方位を以下の通りに規定する：下記の上下左右前後の方向は図１自体の投影関係の上下左右前後の方向と一致している。
【００１０】
【図１】図１は本発明の水晶電気スタンドの全体の正面構成概略図
【図２】図２は図１のＡの拡大構成概略図
【図３】図３は図１のＢ−Ｂの構成概略図
【発明を実施するための形態】
【００１１】
本発明書に開示した全ての特徴、或いは開示した全ての方法、過程中のステップは、互いに排斥する特徴或いはステップ以外に、いかなる方式で組み合わせることができる。
【００１２】
図１−３を参考し、本発明の水晶電気スタンドは電気スタンド台座１０を含み、前記電気スタンド台座１０の中には楕円形溝１７が設置され、前記楕円形溝１７の中には輝度機構６０が設置され、前記輝度機構６０は前記楕円形溝１７の下端壁と固定的に連結されるカウンタウェイト１１を含み、前記カウンタウェイト１１の上端面には中心軸３９が回転できるように設置され、前記中心軸３９の左端面には短ロッド１６が固定的に設置され、前記中心軸３９の後端面には伝動ロッド５２が固定的に設置され、前記楕円形溝１７の左端壁には外部と前記楕円形溝１７と連通している弧形溝１３が設置され、前記弧形溝１３の中には弧形板１５がスライドできるように設置され、前記弧形板１５の左端面には左端が外部に位置している調節ブロック１４は固定的に設置され、前記弧形板１５の右端面には右端が前記楕円形溝１７の中に位置している長ロッド１２が固定的に設置され、前記長ロッド１２と前記短ロッド１６とが短ロープ４２により連結され、前記楕円形溝１７の後端壁にはすべり抵抗器３３が固定的に設置され、前記すべり抵抗器３３の中には抵抗値溝５１が設置され、前記抵抗値溝５１の中には前端が前記楕円形溝１７の中に位置している可変抵抗ブロック３６がスライドできるように設置され、前記可変抵抗ブロック３６の左端面と前記伝動ロッド５２の右端面とが横向きロープ３４により連結され、前記輝度機構６０の上側には水晶機構６１が設置され、前記水晶機構６１は前記電気スタンド台座１０の上端面と固定的に連結される円柱形ブロック４８を含み、前記円柱形ブロック４８の中には上方に開口している円柱形溝４７が設置され、前記円柱形溝４７の左右端壁には移動溝４４が対称的に設置され、前記円柱形ブロック４８の中には曲がったワイヤー４９が左右対称的に植設され、前記円柱形ブロック４８の左右端面には支持ロッド４５が対称的に設置され、前記支持ロッド４５のうち前記円柱形ブロック４８から離れている一端には電球４６が固定的に設置され、前記円柱形ブロック４８の下側において電気スタンド台座１０の中には金属ブロック５０が左右に対称的に植設され、前記曲がったワイヤー４９が前記金属ブロック５０と前記電球４６と連通しており、前記可変抵抗ブロック３６が二つの弧形ワイヤー３２により前記金属ブロック５０と連通しており、前記弧形溝１３の上端壁の中には前記楕円形溝１７と外部とを連通しているアーク溝２０が設置され、前記アーク溝２０の中にはアークブロック１９がスライドできるように設置され、前記アークブロック１９の左端面には左端が外部に位置ているコントロールパネル１８は固定的に設置され、前記アークブロック１９の右端面には右端が前記楕円形溝１７の中に位置ている回転ロッド２１は固定的に設置され、前記回転ロッド２１の右端にはねじ山ブロック２２が固定的に設置され、前記ねじ山ブロック２２の中には上端が前記円柱形溝４７を貫通しているねじ山ロッド３１がねじ山により設置され、前記円柱形溝４７の中において前記ねじ山ロッド３１の左右端面には短ブロック４３が対称的に固定的に設置され、前記短ブロック４３のうち前記円柱形溝４７から離れている一端が前記移動溝４４の中に位置しており、また、前記調節ブロック１４をプッシュして前記伝動ロッド５２を回転連動させることができ、それにより前記可変抵抗ブロック３６を左右に運動連動させ、前記コントロールパネル１８をプッシュして、前記ねじ山ブロック２２と前記ねじ山ロッド３１とのねじ山係合により、前記ねじ山ロッド３１を上下に運動連動させることができる。
【００１３】
有益的に、前記カウンタウェイト１１の中には電源溝３８が設置され、前記電源溝３８の下端壁には電源ボックス４０が固定的に設置され、前記電源ボックス４０と前記すべり抵抗器３３とが前記垂直ワイヤー４１により連結され、前記電源溝３８の右端壁の中には充電ソケット３５が植設され、前記充電ソケット３５と前記電源ボックス４０とが充電ワイヤー３７により連通され、また、前記充電ソケット３５が前記電源ボックス４０に充電でき、前記電源ボックス４０がオンされる時に、前記垂直ワイヤー４１の伝導により、前記すべり抵抗器３３に電力を供給することができる。
【００１４】
有益的に、前記円柱形ブロック４８の上側にはランプシェード２７が設置され、前記ランプシェード２７の中には前記ランプシェード２７の上下端面を貫通している台形溝２３が設置され、前記台形溝２３の端壁には六つの傾斜ブロック２８が均一に固定的に設置され、前記傾斜ブロック２８の中には前記台形溝２３に連通している傾斜溝２９が設置され、前記円柱形ブロック４８の上端面には前記傾斜溝２９の中に位置しているまた前記傾斜溝２９とスライドできるように連結される六つの傾斜ロッド３０が均一に固定的に設置され、前記傾斜ブロック２８の下側にある前記台形溝２３の端壁には四つのＵ型ブロック２６が均一に固定的に設置され、前記Ｕ型ブロック２６の中には前記Ｕ型ブロック２６の上下端面を貫通しているガイド溝２５が設置され、前記ねじ山ロッド３１には前記ガイド溝２５と前記台形溝２３とを貫通している四つのガイドライン５４が均一に固定的に設置され、前記ガイドライン５４には三つの水晶アクセサリー２４が均一に固定的に設置され、また、前記ねじ山ロッド３１が上昇する時に前記ガイドライン５４を引き動かし上に運動させることができ、それにより前記水晶アクセサリー２４を上に運動連動させる。
【００１５】
下記に図１−３および上記に記載されたの本出願の水晶電気スタンドの具体的な構造を参考して本発明の使用方法について詳しく紹介する。
【００１６】
プラグを充電ソケット３５に挿入し、充電ワイヤー３７の伝導により、電源ボックス４０に充電でき、電源ボックス４０の中の電量が十分になる時に、プラグを抜き、電源ボックス４０を起動し、垂直ワイヤー４１の伝導により、可変抵抗ブロック３６を帯電させ、弧形ワイヤー３２と、金属ブロック５０と曲がったワイヤー４９により、電球４６を通電させ発光させ、それにより電球４６に照明を行わせ、ランプシェード２７が光を柔らかくし、水晶アクセサリー２４が光を受けて一定の反射があり、より綺麗な装飾を形成する。
【００１７】
光強度を調節する時に、調節ブロック１４をプッシュし、弧形板１５が弧形溝１３に沿って移動し、それにより長ロッド１２を運動連動させ、短ロープ４２により中心軸３９を回転連動させることができ、伝動ロッド５２が中心軸３９に従って回転し、横向きロープ３４により可変抵抗ブロック３６を左右に移動連動させ、それによりすべり抵抗器３３の抵抗値の大きさを調節し、電球４６の光強度を変化させ、水晶アクセサリー２４の位置を調節する時に、コントロールパネル１８をプッシュし、ねじ山ブロック２２を回転連動させることができ、ねじ山ブロック２２とねじ山ロッド３１とのねじ山噛合により、ねじ山ロッド３１を昇降連動させ、Ｕ型ブロック２６を引いて運動させ、それにより水晶アクセサリー２４の位置を調整して使用者のニーズに合わせ、電気スタンド台座１０の形状及びカウンタウェイト１１の重力作用により、装置が衝撃を受ける時に倒れにくい。
【００１８】
本発明の有益な効果は：この装置は重心が低く、楕円形の形状をしており、衝撃を受けても倒れにくく、安定性が良く、ユーザーの要求に従って、光強度と水晶アクセサリーの長さを自由に調整し、美観性を変えることができ、取り外しも便利であり、洗いも簡単である。
【００１９】
以上に述べたのはただ本発明の具体的な実施方式で、しかし本発明の保護範囲はここに限らないである。全部の創造的な労働を通じなく思いついた変化と取替は本発明の保護範囲にカバーされる。だから本発明の保護範囲は権利要求書が限定される保護範囲を標準とする。
【図１】
2020177892.tif 000003
【図２】
2020177892.tif 000004
【図３】
2020177892.tif 000005
【手続補正書】
【提出日】令和1年9月2日(2019.9.2)
【手続補正１】
【補正対象書類名】特許請求の範囲
【補正対象項目名】全文
【補正方法】変更
【補正の内容】
【特許請求の範囲】
【請求項１】
電気スタンド台座を含み、前記電気スタンド台座の中には楕円形溝が設置され、前記楕円形溝の中には輝度機構が設置され、前記輝度機構は前記楕円形溝の下端壁と固定的に連結されるカウンタウェイトを含み、前記カウンタウェイトの上端面には中心軸が回転できるように設置され、前記中心軸の左端面には短ロッドが固定的に設置され、前記中心軸の後端面には伝動ロッドが固定的に設置され、前記楕円形溝の左端壁には外部と前記楕円形溝と連通している弧形溝が設置され、前記弧形溝の中には弧形板がスライドできるように設置され、前記弧形板の左端面には左端が外部に位置している調節ブロックは固定的に設置され、前記弧形板の右端面には右端が前記楕円形溝の中に位置している長ロッドが固定的に設置され、前記長ロッドと前記短ロッドとが短ロープにより連結され、前記楕円形溝の後端壁にはすべり抵抗器が固定的に設置され、前記すべり抵抗器の中には抵抗値溝が設置され、前記抵抗値溝の中には前端が前記楕円形溝の中に位置している可変抵抗ブロックがスライドできるように設置され、前記可変抵抗ブロックの左端面と前記伝動ロッドの右端面とが横向きロープにより連結され、前記輝度機構の上側には水晶機構が設置され、前記水晶機構は前記電気スタンド台座の上端面と固定的に連結される円柱形ブロックを含み、前記円柱形ブロックの中には上方に開口している円柱形溝が設置され、前記円柱形溝の左右端壁には移動溝が対称的に設置され、前記円柱形ブロックの中には曲がったワイヤーが左右対称的に植設され、前記円柱形ブロックの左右端面には支持ロッドが対称的に設置され、前記支持ロッドのうち前記円柱形ブロックから離れている一端には電球が固定的に設置され、前記円柱形ブロックの下側において電気スタンド台座の中には金属ブロックが左右に対称的に植設され、前記曲がったワイヤーが前記金属ブロックと前記電球と連通しており、前記可変抵抗ブロックが二つの弧形ワイヤーにより前記金属ブロックと連通しており、前記弧形溝の上端壁の中には前記楕円形溝と外部とを連通しているアーク溝が設置され、前記アーク溝の中にはアークブロックがスライドできるように設置され、前記アークブロックの左端面には左端が外部に位置ているコントロールパネルは固定的に設置され、前記アークブロックの右端面には右端が前記楕円形溝の中に位置ている回転ロッドは固定的に設置され、前記回転ロッドの右端にはねじ山ブロックが固定的に設置され、前記ねじ山ブロックの中には上端が前記円柱形溝を貫通しているねじ山ロッドがねじ山により設置され、前記円柱形溝の中において前記ねじ山ロッドの左右端面には短ブロックが対称的に固定的に設置され、前記短ブロックのうち前記円柱形溝から離れている一端が前記移動溝の中に位置しており、また、前記調節ブロックをプッシュして前記伝動ロッドを回転連動させることができ、それにより前記可変抵抗ブロックを左右に運動連動させ、前記コントロールパネルをプッシュして、前記アークブロックは前記回転ロッドによって前記ねじ山ブロックを回転連動させ、それによって前記ねじ山ブロックは前記ねじ山ロッドを駆動して上下に運動させることができることを特徴とする水晶電気スタンド。
【請求項２】
前記カウンタウェイトの中には電源溝が設置され、前記電源溝の下端壁には電源ボックスが固定的に設置され、前記電源ボックスと前記すべり抵抗器とが垂直ワイヤーにより連結され、前記電源溝の右端壁の中には充電ソケットが植設され、前記充電ソケットと前記電源ボックスとが充電ワイヤーにより連通され、また、前記充電ソケットが前記電源ボックスに充電でき、前記電源ボックスがオンされる時に、前記垂直ワイヤーの伝導により、前記すべり抵抗器に電力を供給することができることを特徴とする請求項１に記載の水晶電気スタンド。
【請求項３】
前記円柱形ブロックの上側にはランプシェードが設置され、前記ランプシェードの中には前記ランプシェードの上下端面を貫通している台形溝が設置され、前記台形溝の端壁には六つの傾斜ブロックが均一に固定的に設置され、前記傾斜ブロックの中には前記台形溝に連通している傾斜溝が設置され、前記円柱形ブロックの上端面には前記傾斜溝の中に位置しているまた前記傾斜溝とスライドできるように連結される六つの傾斜ロッドが均一に固定的に設置され、前記傾斜ブロックの下側にある前記台形溝の端壁には四つのＵ型ブロックが均一に固定的に設置され、前記Ｕ型ブロックの中には前記Ｕ型ブロックの上下端面を貫通しているガイド溝が設置され、前記ねじ山ロッドには前記ガイド溝と前記台形溝とを貫通している四つのガイドラインが均一に固定的に設置され、前記ガイドラインには三つの水晶アクセサリーが均一に固定的に設置され、また、前記ねじ山ロッドが上昇する時に前記ガイドラインを引き動かし上に運動させることができ、それにより前記水晶アクセサリーを上に運動連動させることができることを特徴とする請求項１に記載の水晶電気スタンド。
【手続補正２】
【補正対象書類名】明細書
【補正対象項目名】全文
【補正方法】変更
【補正の内容】
【発明の詳細な説明】
【技術分野】
【０００１】
本発明は水晶分野に関わり、具体的には水晶電気スタンドである。
【背景技術】
【０００２】
水晶電気スタンドはその美しい外観のため家庭のベッドの装飾に多く使われ、便利な照明を提供することができ、また一定の美観効果があり、既存の水晶電気スタンドは衝撃を受けて壊れやすく、装飾品として調節できなく、特別な場合に使うのは比較的に恥ずかしい。
【先行技術文献】
【特許文献】
【０００３】
【特許文献１】中国特許出願公開第１０５７８２８７１号明細書
【発明の概要】
【発明が解決しようとする課題】
【０００４】
本発明は水晶電気スタンドを提供し、以上の背景技術にある欠点を解消することを目的とする。
【課題を解決するための手段】
【０００５】
上記の課題を解決するため、本発明は以下の技術プランを提供する：本発明の水晶電気スタンドは電気スタンド台座を含み、前記電気スタンド台座の中には楕円形溝が設置され、前記楕円形溝の中には輝度機構が設置され、前記輝度機構は前記楕円形溝の下端壁と固定的に連結されるカウンタウェイトを含み、前記カウンタウェイトの上端面には中心軸が回転できるように設置され、前記中心軸の左端面には短ロッドが固定的に設置され、前記中心軸の後端面には伝動ロッドが固定的に設置され、前記楕円形溝の左端壁には外部と前記楕円形溝と連通している弧形溝が設置され、前記弧形溝の中には弧形板がスライドできるように設置され、前記弧形板の左端面には左端が外部に位置している調節ブロックは固定的に設置され、前記弧形板の右端面には右端が前記楕円形溝の中に位置している長ロッドが固定的に設置され、前記長ロッドと前記短ロッドとが短ロープにより連結され、前記楕円形溝の後端壁にはすべり抵抗器が固定的に設置され、前記すべり抵抗器の中には抵抗値溝が設置され、前記抵抗値溝の中には前端が前記楕円形溝の中に位置している可変抵抗ブロックがスライドできるように設置され、前記可変抵抗ブロックの左端面と前記伝動ロッドの右端面とが横向きロープにより連結され、前記輝度機構の上側には水晶機構が設置され、前記水晶機構は前記電気スタンド台座の上端面と固定的に連結される円柱形ブロックを含み、前記円柱形ブロックの中には上方に開口している円柱形溝が設置され、前記円柱形溝の左右端壁には移動溝が対称的に設置され、前記円柱形ブロックの中には曲がったワイヤーが左右対称的に植設され、前記円柱形ブロックの左右端面には支持ロッドが対称的に設置され、前記支持ロッドのうち前記円柱形ブロックから離れている一端には電球が固定的に設置され、前記円柱形ブロックの下側において電気スタンド台座の中には金属ブロックが左右に対称的に植設され、前記曲がったワイヤーが前記金属ブロックと前記電球と連通しており、前記可変抵抗ブロックが二つの弧形ワイヤーにより前記金属ブロックと連通しており、前記弧形溝の上端壁の中には前記楕円形溝と外部とを連通しているアーク溝が設置され、前記アーク溝の中にはアークブロックがスライドできるように設置され、前記アークブロックの左端面には左端が外部に位置ているコントロールパネルは固定的に設置され、前記アークブロックの右端面には右端が前記楕円形溝の中に位置ている回転ロッドは固定的に設置され、前記回転ロッドの右端にはねじ山ブロックが固定的に設置され、前記ねじ山ブロックの中には上端が前記円柱形溝を貫通しているねじ山ロッドがねじ山により設置され、前記円柱形溝の中において前記ねじ山ロッドの左右端面には短ブロックが対称的に固定的に設置され、前記短ブロックのうち前記円柱形溝から離れている一端が前記移動溝の中に位置しており、また、前記調節ブロックをプッシュして前記伝動ロッドを回転連動させることができ、それにより前記可変抵抗ブロックを左右に運動連動させ、前記コントロールパネルをプッシュして、前記アークブロックは前記回転ロッドによって前記ねじ山ブロックを回転連動させ、それによって前記ねじ山ブロックは前記ねじ山ロッドを駆動して上下に運動させることができる。
【０００６】
さらなる技術プラントには、前記カウンタウェイトの中には電源溝が設置され、前記電源溝の下端壁には電源ボックスが固定的に設置され、前記電源ボックスと前記すべり抵抗器とが垂直ワイヤーにより連結され、前記電源溝の右端壁の中には充電ソケットが植設され、前記充電ソケットと前記電源ボックスとが充電ワイヤーにより連通され、また、前記充電ソケットが前記電源ボックスに充電でき、前記電源ボックスがオンされる時に、前記垂直ワイヤーの伝導により、前記すべり抵抗器に電力を供給することができる。
【０００７】
さらなる技術プラントには、前記円柱形ブロックの上側にはランプシェードが設置され、前記ランプシェードの中には前記ランプシェードの上下端面を貫通している台形溝が設置され、前記台形溝の端壁には六つの傾斜ブロックが均一に固定的に設置され、前記傾斜ブロックの中には前記台形溝に連通している傾斜溝が設置され、前記円柱形ブロックの上端面には前記傾斜溝の中に位置しているまた前記傾斜溝とスライドできるように連結される六つの傾斜ロッドが均一に固定的に設置され、前記傾斜ブロックの下側にある前記台形溝の端壁には四つのＵ型ブロックが均一に固定的に設置され、前記Ｕ型ブロックの中には前記Ｕ型ブロックの上下端面を貫通しているガイド溝が設置され、前記ねじ山ロッドには前記ガイド溝と前記台形溝とを貫通している四つのガイドラインが均一に固定的に設置され、前記ガイドラインには三つの水晶アクセサリーが均一に固定的に設置され、また、前記ねじ山ロッドが上昇する時に前記ガイドラインを引き動かし上に運動させることができ、それにより前記水晶アクセサリーを上に運動連動させる。
【発明の効果】
【０００８】
以上のように、本発明の有益な効果には：この装置は重心が低く、楕円形の形状をしており、衝撃を受けても倒れにくく、安定性が良く、ユーザーの要求に従って、光強度と水晶アクセサリーの長さを自由に調整し、美観性を変えることができ、取り外しも便利であり、洗いも簡単である。
【図面の簡単な説明】
【０００９】
次に図１−３を合わせて本発明を詳しく説明し、意思の疎通にもっと便利なため、後文に出る方位を以下の通りに規定する：下記の上下左右前後の方向は図１自体の投影関係の上下左右前後の方向と一致している。
【００１０】
【図１】図１は本発明の水晶電気スタンドの全体の正面構成概略図
【図２】図２は図１のＡの拡大構成概略図
【図３】図３は図１のＢ−Ｂの構成概略図
【発明を実施するための形態】
【００１１】
本発明書に開示した全ての特徴、或いは開示した全ての方法、過程中のステップは、互いに排斥する特徴或いはステップ以外に、いかなる方式で組み合わせることができる。
【００１２】
図１−３を参考し、本発明の水晶電気スタンドは電気スタンド台座１０を含み、前記電気スタンド台座１０の中には楕円形溝１７が設置され、前記楕円形溝１７の中には輝度機構６０が設置され、前記輝度機構６０は前記楕円形溝１７の下端壁と固定的に連結されるカウンタウェイト１１を含み、前記カウンタウェイト１１の上端面には中心軸３９が回転できるように設置され、前記中心軸３９の左端面には短ロッド１６が固定的に設置され、前記中心軸３９の後端面には伝動ロッド５２が固定的に設置され、前記楕円形溝１７の左端壁には外部と前記楕円形溝１７と連通している弧形溝１３が設置され、前記弧形溝１３の中には弧形板１５がスライドできるように設置され、前記弧形板１５の左端面には左端が外部に位置している調節ブロック１４は固定的に設置され、前記弧形板１５の右端面には右端が前記楕円形溝１７の中に位置している長ロッド１２が固定的に設置され、前記長ロッド１２と前記短ロッド１６とが短ロープ４２により連結され、前記楕円形溝１７の後端壁にはすべり抵抗器３３が固定的に設置され、前記すべり抵抗器３３の中には抵抗値溝５１が設置され、前記抵抗値溝５１の中には前端が前記楕円形溝１７の中に位置している可変抵抗ブロック３６がスライドできるように設置され、前記可変抵抗ブロック３６の左端面と前記伝動ロッド５２の右端面とが横向きロープ３４により連結され、前記輝度機構６０の上側には水晶機構６１が設置され、前記水晶機構６１は前記電気スタンド台座１０の上端面と固定的に連結される円柱形ブロック４８を含み、前記円柱形ブロック４８の中には上方に開口している円柱形溝４７が設置され、前記円柱形溝４７の左右端壁には移動溝４４が対称的に設置され、前記円柱形ブロック４８の中には曲がったワイヤー４９が左右対称的に植設され、前記円柱形ブロック４８の左右端面には支持ロッド４５が対称的に設置され、前記支持ロッド４５のうち前記円柱形ブロック４８から離れている一端には電球４６が固定的に設置され、前記円柱形ブロック４８の下側において電気スタンド台座１０の中には金属ブロック５０が左右に対称的に植設され、前記曲がったワイヤー４９が前記金属ブロック５０と前記電球４６と連通しており、前記可変抵抗ブロック３６が二つの弧形ワイヤー３２により前記金属ブロック５０と連通しており、前記弧形溝１３の上端壁の中には前記楕円形溝１７と外部とを連通しているアーク溝２０が設置され、前記アーク溝２０の中にはアークブロック１９がスライドできるように設置され、前記アークブロック１９の左端面には左端が外部に位置ているコントロールパネル１８は固定的に設置され、前記アークブロック１９の右端面には右端が前記楕円形溝１７の中に位置ている回転ロッド２１は固定的に設置され、前記回転ロッド２１の右端にはねじ山ブロック２２が固定的に設置され、前記ねじ山ブロック２２の中には上端が前記円柱形溝４７を貫通しているねじ山ロッド３１がねじ山により設置され、前記円柱形溝４７の中において前記ねじ山ロッド３１の左右端面には短ブロック４３が対称的に固定的に設置され、前記短ブロック４３のうち前記円柱形溝４７から離れている一端が前記移動溝４４の中に位置しており、また、前記調節ブロック１４をプッシュして前記伝動ロッド５２を回転連動させることができ、それにより前記可変抵抗ブロック３６を左右に運動連動させ、前記コントロールパネル１８をプッシュして、前記アークブロック１９は前記回転ロッド２１によって前記ねじ山ブロック２２を回転連動させ、それによって前記ねじ山ブロック２２は前記ねじ山ロッド３１を駆動して上下に運動させることができる。
【００１３】
有益的に、前記カウンタウェイト１１の中には電源溝３８が設置され、前記電源溝３８の下端壁には電源ボックス４０が固定的に設置され、前記電源ボックス４０と前記すべり抵抗器３３とが垂直ワイヤー４１により連結され、前記電源溝３８の右端壁の中には充電ソケット３５が植設され、前記充電ソケット３５と前記電源ボックス４０とが充電ワイヤー３７により連通され、また、前記充電ソケット３５が前記電源ボックス４０に充電でき、前記電源ボックス４０がオンされる時に、前記垂直ワイヤー４１の伝導により、前記すべり抵抗器３３に電力を供給することができる。
【００１４】
有益的に、前記円柱形ブロック４８の上側にはランプシェード２７が設置され、前記ランプシェード２７の中には前記ランプシェード２７の上下端面を貫通している台形溝２３が設置され、前記台形溝２３の端壁には六つの傾斜ブロック２８が均一に固定的に設置され、前記傾斜ブロック２８の中には前記台形溝２３に連通している傾斜溝２９が設置され、前記円柱形ブロック４８の上端面には前記傾斜溝２９の中に位置しているまた前記傾斜溝２９とスライドできるように連結される六つの傾斜ロッド３０が均一に固定的に設置され、前記傾斜ブロック２８の下側にある前記台形溝２３の端壁には四つのＵ型ブロック２６が均一に固定的に設置され、前記Ｕ型ブロック２６の中には前記Ｕ型ブロック２６の上下端面を貫通しているガイド溝２５が設置され、前記ねじ山ロッド３１には前記ガイド溝２５と前記台形溝２３とを貫通している四つのガイドライン５４が均一に固定的に設置され、前記ガイドライン５４には三つの水晶アクセサリー２４が均一に固定的に設置され、また、前記ねじ山ロッド３１が上昇する時に前記ガイドライン５４を引き動かし上に運動させることができ、それにより前記水晶アクセサリー２４を上に運動連動させる。
【００１５】
下記に図１−３および上記に記載されたの本出願の水晶電気スタンドの具体的な構造を参考して本発明の使用方法について詳しく紹介する。
【００１６】
プラグを充電ソケット３５に挿入し、充電ワイヤー３７の伝導により、電源ボックス４０に充電でき、電源ボックス４０の中の電量が十分になる時に、プラグを抜き、電源ボックス４０を起動し、垂直ワイヤー４１の伝導により、可変抵抗ブロック３６を帯電させ、弧形ワイヤー３２と、金属ブロック５０と曲がったワイヤー４９により、電球４６を通電させ発光させ、それにより電球４６に照明を行わせ、ランプシェード２７が光を柔らかくし、水晶アクセサリー２４が光を受けて一定の反射があり、より綺麗な装飾を形成する。
【００１７】
光強度を調節する時に、調節ブロック１４をプッシュし、弧形板１５が弧形溝１３に沿って移動し、それにより長ロッド１２を運動連動させ、短ロープ４２により中心軸３９を回転連動させることができ、伝動ロッド５２が中心軸３９に従って回転し、横向きロープ３４により可変抵抗ブロック３６を左右に移動連動させ、それによりすべり抵抗器３３の抵抗値の大きさを調節し、電球４６の光強度を変化させ、水晶アクセサリー２４の位置を調節する時に、コントロールパネル１８をプッシュし、ねじ山ブロック２２を回転連動させることができ、ねじ山ブロック２２とねじ山ロッド３１とのねじ山噛合により、ねじ山ロッド３１を昇降連動させ、Ｕ型ブロック２６を引いて運動させ、それにより水晶アクセサリー２４の位置を調整して使用者のニーズに合わせ、電気スタンド台座１０の形状及びカウンタウェイト１１の重力作用により、装置が衝撃を受ける時に倒れにくい。
【００１８】
本発明の有益な効果は：この装置は重心が低く、楕円形の形状をしており、衝撃を受けても倒れにくく、安定性が良く、ユーザーの要求に従って、光強度と水晶アクセサリーの長さを自由に調整し、美観性を変えることができ、取り外しも便利であり、洗いも簡単である。
【００１９】
以上に述べたのはただ本発明の具体的な実施方式で、しかし本発明の保護範囲はここに限らないである。全部の創造的な労働を通じなく思いついた変化と取替は本発明の保護範囲にカバーされる。だから本発明の保護範囲は権利要求書が限定される保護範囲を標準とする。
【手続補正書】
【提出日】令和2年2月19日(2020.2.19)
【手続補正１】
【補正対象書類名】特許請求の範囲
【補正対象項目名】全文
【補正方法】変更
【補正の内容】
【特許請求の範囲】
【請求項１】
電気スタンド台座を含み、前記電気スタンド台座の中には楕円形溝が設置され、前記楕円形溝の中には輝度機構が設置され、前記輝度機構は前記楕円形溝の下端壁と固定的に連結されるカウンタウェイトを含み、前記カウンタウェイトの上端面には中心軸が回転できるように設置され、前記中心軸の左端面には短ロッドが固定的に設置され、前記中心軸の後端面には伝動ロッドが固定的に設置され、前記楕円形溝の左端壁には外部と前記楕円形溝と連通している弧形溝が設置され、前記弧形溝の中には弧形板がスライドできるように設置され、前記弧形板の左端面には左端が外部に位置している調節ブロックは固定的に設置され、前記弧形板の右端面には右端が前記楕円形溝の中に位置している長ロッドが固定的に設置され、前記長ロッドと前記短ロッドとが短ロープにより連結され、前記楕円形溝の後端壁にはすべり抵抗器が固定的に設置され、前記すべり抵抗器の中には抵抗値溝が設置され、前記抵抗値溝の中には前端が前記楕円形溝の中に位置している可変抵抗ブロックがスライドできるように設置され、前記可変抵抗ブロックの左端面と前記伝動ロッドの右端面とが横向きロープにより連結され、前記輝度機構の上側には水晶装飾機構が設置され、前記水晶装飾機構は前記電気スタンド台座の上端面と固定的に連結される円柱形ブロックを含み、前記円柱形ブロックの中には上方に開口している円柱形溝が設置され、前記円柱形溝の左右端壁には移動溝が対称的に設置され、前記円柱形ブロックの中には曲がったワイヤーが左右対称的に植設され、前記円柱形ブロックの左右端面には支持ロッドが対称的に設置され、前記支持ロッドのうち前記円柱形ブロックから離れている一端には電球が固定的に設置され、前記円柱形ブロックの下側において電気スタンド台座の中には金属ブロックが左右に対称的に植設され、前記曲がったワイヤーが前記金属ブロックと前記電球と連通しており、前記可変抵抗ブロックが二つの弧形ワイヤーにより前記金属ブロックと連通しており、前記弧形溝の上端壁の中には前記楕円形溝と外部とを連通しているアーク溝が設置され、前記アーク溝の中にはアークブロックがスライドできるように設置され、前記アークブロックの左端面には左端が外部に位置ているコントロールパネルは固定的に設置され、前記アークブロックの右端面には右端が前記楕円形溝の中に位置ている回転ロッドは固定的に設置され、前記回転ロッドの右端にはねじ山ブロックが固定的に設置され、前記ねじ山ブロックの中には上端が前記円柱形溝を貫通しているねじ山ロッドがねじ山により設置され、前記円柱形溝の中において前記ねじ山ロッドの左右端面には短ブロックが対称的に固定的に設置され、前記短ブロックのうち前記円柱形溝から離れている一端が前記移動溝の中に位置しており、また、前記調節ブロックをプッシュして前記伝動ロッドを回転連動させることができ、それにより前記可変抵抗ブロックを左右に運動連動させ、前記コントロールパネルをプッシュして、前記アークブロックは前記回転ロッドによって前記ねじ山ブロックを回転連動させ、それによって前記ねじ山ブロックは前記ねじ山ロッドを駆動して上下に運動させることができることを特徴とする水晶電気スタンド。
【請求項２】
前記カウンタウェイトの中には電源溝が設置され、前記電源溝の下端壁には電源ボックスが固定的に設置され、前記電源ボックスと前記すべり抵抗器とが垂直ワイヤーにより連結され、前記電源溝の右端壁の中には充電ソケットが植設され、前記充電ソケットと前記電源ボックスとが充電ワイヤーにより連通され、また、前記充電ソケットが前記電源ボックスに充電でき、前記電源ボックスがオンされる時に、前記垂直ワイヤーの伝導により、前記すべり抵抗器に電力を供給することができることを特徴とする請求項１に記載の水晶電気スタンド。
【請求項３】
前記円柱形ブロックの上側にはランプシェードが設置され、前記ランプシェードの中には前記ランプシェードの上下端面を貫通している台形溝が設置され、前記台形溝の端壁には六つの傾斜ブロックが均一に固定的に設置され、前記傾斜ブロックの中には前記台形溝に連通している傾斜溝が設置され、前記円柱形ブロックの上端面には前記傾斜溝の中に位置しているまた前記傾斜溝とスライドできるように連結される六つの傾斜ロッドが均一に固定的に設置され、前記傾斜ブロックの下側にある前記台形溝の端壁には四つのＵ型ブロックが均一に固定的に設置され、前記Ｕ型ブロックの中には前記Ｕ型ブロックの上下端面を貫通しているガイド溝が設置され、前記ねじ山ロッドには前記ガイド溝と前記台形溝とを貫通している四つのガイドラインが均一に固定的に設置され、前記ガイドラインには三つの水晶アクセサリーが均一に固定的に設置され、また、前記ねじ山ロッドが上昇する時に前記ガイドラインを引き動かし上に運動させることができ、それにより前記水晶アクセサリーを上に運動連動させることができることを特徴とする請求項１に記載の水晶電気スタンド。
【手続補正２】
【補正対象書類名】明細書
【補正対象項目名】全文
【補正方法】変更
【補正の内容】
【発明の詳細な説明】
【技術分野】
【０００１】
本発明は水晶分野に関わり、具体的には水晶電気スタンドである。
【背景技術】
【０００２】
水晶電気スタンドはその美しい外観のため家庭のベッドの装飾に多く使われ、便利な照明を提供することができ、また一定の美観効果があり、既存の水晶電気スタンドは衝撃を受けて壊れやすく、装飾品として調節できなく、特別な場合に使うのは比較的に恥ずかしい。
【先行技術文献】
【特許文献】
【０００３】
【特許文献１】中国特許出願公開第１０５７８２８７１号明細書
【発明の概要】
【発明が解決しようとする課題】
【０００４】
本発明は水晶電気スタンドを提供し、以上の背景技術にある欠点を解消することを目的とする。
【課題を解決するための手段】
【０００５】
上記の課題を解決するため、本発明は以下の技術プランを提供する：本発明の水晶電気スタンドは電気スタンド台座を含み、前記電気スタンド台座の中には楕円形溝が設置され、前記楕円形溝の中には輝度機構が設置され、前記輝度機構は前記楕円形溝の下端壁と固定的に連結されるカウンタウェイトを含み、前記カウンタウェイトの上端面には中心軸が回転できるように設置され、前記中心軸の左端面には短ロッドが固定的に設置され、前記中心軸の後端面には伝動ロッドが固定的に設置され、前記楕円形溝の左端壁には外部と前記楕円形溝と連通している弧形溝が設置され、前記弧形溝の中には弧形板がスライドできるように設置され、前記弧形板の左端面には左端が外部に位置している調節ブロックは固定的に設置され、前記弧形板の右端面には右端が前記楕円形溝の中に位置している長ロッドが固定的に設置され、前記長ロッドと前記短ロッドとが短ロープにより連結され、前記楕円形溝の後端壁にはすべり抵抗器が固定的に設置され、前記すべり抵抗器の中には抵抗値溝が設置され、前記抵抗値溝の中には前端が前記楕円形溝の中に位置している可変抵抗ブロックがスライドできるように設置され、前記可変抵抗ブロックの左端面と前記伝動ロッドの右端面とが横向きロープにより連結され、前記輝度機構の上側には水晶装飾機構が設置され、前記水晶装飾機構は前記電気スタンド台座の上端面と固定的に連結される円柱形ブロックを含み、前記円柱形ブロックの中には上方に開口している円柱形溝が設置され、前記円柱形溝の左右端壁には移動溝が対称的に設置され、前記円柱形ブロックの中には曲がったワイヤーが左右対称的に植設され、前記円柱形ブロックの左右端面には支持ロッドが対称的に設置され、前記支持ロッドのうち前記円柱形ブロックから離れている一端には電球が固定的に設置され、前記円柱形ブロックの下側において電気スタンド台座の中には金属ブロックが左右に対称的に植設され、前記曲がったワイヤーが前記金属ブロックと前記電球と連通しており、前記可変抵抗ブロックが二つの弧形ワイヤーにより前記金属ブロックと連通しており、前記弧形溝の上端壁の中には前記楕円形溝と外部とを連通しているアーク溝が設置され、前記アーク溝の中にはアークブロックがスライドできるように設置され、前記アークブロックの左端面には左端が外部に位置ているコントロールパネルは固定的に設置され、前記アークブロックの右端面には右端が前記楕円形溝の中に位置ている回転ロッドは固定的に設置され、前記回転ロッドの右端にはねじ山ブロックが固定的に設置され、前記ねじ山ブロックの中には上端が前記円柱形溝を貫通しているねじ山ロッドがねじ山により設置され、前記円柱形溝の中において前記ねじ山ロッドの左右端面には短ブロックが対称的に固定的に設置され、前記短ブロックのうち前記円柱形溝から離れている一端が前記移動溝の中に位置しており、また、前記調節ブロックをプッシュして前記伝動ロッドを回転連動させることができ、それにより前記可変抵抗ブロックを左右に運動連動させ、前記コントロールパネルをプッシュして、前記アークブロックは前記回転ロッドによって前記ねじ山ブロックを回転連動させ、それによって前記ねじ山ブロックは前記ねじ山ロッドを駆動して上下に運動させることができる。
【０００６】
さらなる技術プラントには、前記カウンタウェイトの中には電源溝が設置され、前記電源溝の下端壁には電源ボックスが固定的に設置され、前記電源ボックスと前記すべり抵抗器とが垂直ワイヤーにより連結され、前記電源溝の右端壁の中には充電ソケットが植設され、前記充電ソケットと前記電源ボックスとが充電ワイヤーにより連通され、また、前記充電ソケットが前記電源ボックスに充電でき、前記電源ボックスがオンされる時に、前記垂直ワイヤーの伝導により、前記すべり抵抗器に電力を供給することができる。
【０００７】
さらなる技術プラントには、前記円柱形ブロックの上側にはランプシェードが設置され、前記ランプシェードの中には前記ランプシェードの上下端面を貫通している台形溝が設置され、前記台形溝の端壁には六つの傾斜ブロックが均一に固定的に設置され、前記傾斜ブロックの中には前記台形溝に連通している傾斜溝が設置され、前記円柱形ブロックの上端面には前記傾斜溝の中に位置しているまた前記傾斜溝とスライドできるように連結される六つの傾斜ロッドが均一に固定的に設置され、前記傾斜ブロックの下側にある前記台形溝の端壁には四つのＵ型ブロックが均一に固定的に設置され、前記Ｕ型ブロックの中には前記Ｕ型ブロックの上下端面を貫通しているガイド溝が設置され、前記ねじ山ロッドには前記ガイド溝と前記台形溝とを貫通している四つのガイドラインが均一に固定的に設置され、前記ガイドラインには三つの水晶アクセサリーが均一に固定的に設置され、また、前記ねじ山ロッドが上昇する時に前記ガイドラインを引き動かし上に運動させることができ、それにより前記水晶アクセサリーを上に運動連動させる。
【発明の効果】
【０００８】
以上のように、本発明の有益な効果には：この装置は重心が低く、楕円形の形状をしており、衝撃を受けても倒れにくく、安定性が良く、ユーザーの要求に従って、光強度と水晶アクセサリーの長さを自由に調整し、美観性を変えることができ、取り外しも便利であり、洗いも簡単である。
【図面の簡単な説明】
【０００９】
次に図１−３を合わせて本発明を詳しく説明し、意思の疎通にもっと便利なため、後文に出る方位を以下の通りに規定する：下記の上下左右前後の方向は図１自体の投影関係の上下左右前後の方向と一致している。
【００１０】
【図１】図１は本発明の水晶電気スタンドの全体の正面構成概略図
【図２】図２は図１のＡの拡大構成概略図
【図３】図３は図１のＢ−Ｂの構成概略図
【発明を実施するための形態】
【００１１】
本発明書に開示した全ての特徴、或いは開示した全ての方法、過程中のステップは、互いに排斥する特徴或いはステップ以外に、いかなる方式で組み合わせることができる。
【００１２】
図１−３を参考し、本発明の水晶電気スタンドは電気スタンド台座１０を含み、前記電気スタンド台座１０の中には楕円形溝１７が設置され、前記楕円形溝１７の中には輝度機構６０が設置され、前記輝度機構６０は前記楕円形溝１７の下端壁と固定的に連結されるカウンタウェイト１１を含み、前記カウンタウェイト１１の上端面には中心軸３９が回転できるように設置され、前記中心軸３９の左端面には短ロッド１６が固定的に設置され、前記中心軸３９の後端面には伝動ロッド５２が固定的に設置され、前記楕円形溝１７の左端壁には外部と前記楕円形溝１７と連通している弧形溝１３が設置され、前記弧形溝１３の中には弧形板１５がスライドできるように設置され、前記弧形板１５の左端面には左端が外部に位置している調節ブロック１４は固定的に設置され、前記弧形板１５の右端面には右端が前記楕円形溝１７の中に位置している長ロッド１２が固定的に設置され、前記長ロッド１２と前記短ロッド１６とが短ロープ４２により連結され、前記楕円形溝１７の後端壁にはすべり抵抗器３３が固定的に設置され、前記すべり抵抗器３３の中には抵抗値溝５１が設置され、前記抵抗値溝５１の中には前端が前記楕円形溝１７の中に位置している可変抵抗ブロック３６がスライドできるように設置され、前記可変抵抗ブロック３６の左端面と前記伝動ロッド５２の右端面とが横向きロープ３４により連結され、前記輝度機構６０の上側には水晶装飾機構６１が設置され、前記水晶装飾機構６１は前記電気スタンド台座１０の上端面と固定的に連結される円柱形ブロック４８を含み、前記円柱形ブロック４８の中には上方に開口している円柱形溝４７が設置され、前記円柱形溝４７の左右端壁には移動溝４４が対称的に設置され、前記円柱形ブロック４８の中には曲がったワイヤー４９が左右対称的に植設され、前記円柱形ブロック４８の左右端面には支持ロッド４５が対称的に設置され、前記支持ロッド４５のうち前記円柱形ブロック４８から離れている一端には電球４６が固定的に設置され、前記円柱形ブロック４８の下側において電気スタンド台座１０の中には金属ブロック５０が左右に対称的に植設され、前記曲がったワイヤー４９が前記金属ブロック５０と前記電球４６と連通しており、前記可変抵抗ブロック３６が二つの弧形ワイヤー３２により前記金属ブロック５０と連通しており、前記弧形溝１３の上端壁の中には前記楕円形溝１７と外部とを連通しているアーク溝２０が設置され、前記アーク溝２０の中にはアークブロック１９がスライドできるように設置され、前記アークブロック１９の左端面には左端が外部に位置ているコントロールパネル１８は固定的に設置され、前記アークブロック１９の右端面には右端が前記楕円形溝１７の中に位置ている回転ロッド２１は固定的に設置され、前記回転ロッド２１の右端にはねじ山ブロック２２が固定的に設置され、前記ねじ山ブロック２２の中には上端が前記円柱形溝４７を貫通しているねじ山ロッド３１がねじ山により設置され、前記円柱形溝４７の中において前記ねじ山ロッド３１の左右端面には短ブロック４３が対称的に固定的に設置され、前記短ブロック４３のうち前記円柱形溝４７から離れている一端が前記移動溝４４の中に位置しており、また、前記調節ブロック１４をプッシュして前記伝動ロッド５２を回転連動させることができ、それにより前記可変抵抗ブロック３６を左右に運動連動させ、前記コントロールパネル１８をプッシュして、前記アークブロック１９は前記回転ロッド２１によって前記ねじ山ブロック２２を回転連動させ、それによって前記ねじ山ブロック２２は前記ねじ山ロッド３１を駆動して上下に運動させることができる。
【００１３】
有益的に、前記カウンタウェイト１１の中には電源溝３８が設置され、前記電源溝３８の下端壁には電源ボックス４０が固定的に設置され、前記電源ボックス４０と前記すべり抵抗器３３とが垂直ワイヤー４１により連結され、前記電源溝３８の右端壁の中には充電ソケット３５が植設され、前記充電ソケット３５と前記電源ボックス４０とが充電ワイヤー３７により連通され、また、前記充電ソケット３５が前記電源ボックス４０に充電でき、前記電源ボックス４０がオンされる時に、前記垂直ワイヤー４１の伝導により、前記すべり抵抗器３３に電力を供給することができる。
【００１４】
有益的に、前記円柱形ブロック４８の上側にはランプシェード２７が設置され、前記ランプシェード２７の中には前記ランプシェード２７の上下端面を貫通している台形溝２３が設置され、前記台形溝２３の端壁には六つの傾斜ブロック２８が均一に固定的に設置され、前記傾斜ブロック２８の中には前記台形溝２３に連通している傾斜溝２９が設置され、前記円柱形ブロック４８の上端面には前記傾斜溝２９の中に位置しているまた前記傾斜溝２９とスライドできるように連結される六つの傾斜ロッド３０が均一に固定的に設置され、前記傾斜ブロック２８の下側にある前記台形溝２３の端壁には四つのＵ型ブロック２６が均一に固定的に設置され、前記Ｕ型ブロック２６の中には前記Ｕ型ブロック２６の上下端面を貫通しているガイド溝２５が設置され、前記ねじ山ロッド３１には前記ガイド溝２５と前記台形溝２３とを貫通している四つのガイドライン５４が均一に固定的に設置され、前記ガイドライン５４には三つの水晶アクセサリー２４が均一に固定的に設置され、また、前記ねじ山ロッド３１が上昇する時に前記ガイドライン５４を引き動かし上に運動させることができ、それにより前記水晶アクセサリー２４を上に運動連動させる。
【００１５】
下記に図１−３および上記に記載されたの本出願の水晶電気スタンドの具体的な構造を参考して本発明の使用方法について詳しく紹介する。
【００１６】
プラグを充電ソケット３５に挿入し、充電ワイヤー３７の伝導により、電源ボックス４０に充電でき、電源ボックス４０の中の電量が十分になる時に、プラグを抜き、電源ボックス４０を起動し、垂直ワイヤー４１の伝導により、可変抵抗ブロック３６を帯電させ、弧形ワイヤー３２と、金属ブロック５０と曲がったワイヤー４９により、電球４６を通電させ発光させ、それにより電球４６に照明を行わせ、ランプシェード２７が光を柔らかくし、水晶アクセサリー２４が光を受けて一定の反射があり、より綺麗な装飾を形成する。
【００１７】
光強度を調節する時に、調節ブロック１４をプッシュし、弧形板１５が弧形溝１３に沿って移動し、それにより長ロッド１２を運動連動させ、短ロープ４２により中心軸３９を回転連動させることができ、伝動ロッド５２が中心軸３９に従って回転し、横向きロープ３４により可変抵抗ブロック３６を左右に移動連動させ、それによりすべり抵抗器３３の抵抗値の大きさを調節し、電球４６の光強度を変化させ、水晶アクセサリー２４の位置を調節する時に、コントロールパネル１８をプッシュし、ねじ山ブロック２２を回転連動させることができ、ねじ山ブロック２２とねじ山ロッド３１とのねじ山噛合により、ねじ山ロッド３１を昇降連動させ、Ｕ型ブロック２６を引いて運動させ、それにより水晶アクセサリー２４の位置を調整して使用者のニーズに合わせ、電気スタンド台座１０の形状及びカウンタウェイト１１の重力作用により、装置が衝撃を受ける時に倒れにくい。
【００１８】
本発明の有益な効果は：この装置は重心が低く、楕円形の形状をしており、衝撃を受けても倒れにくく、安定性が良く、ユーザーの要求に従って、光強度と水晶アクセサリーの長さを自由に調整し、美観性を変えることができ、取り外しも便利であり、洗いも簡単である。
【００１９】
以上に述べたのはただ本発明の具体的な実施方式で、しかし本発明の保護範囲はここに限らないである。全部の創造的な労働を通じなく思いついた変化と取替は本発明の保護範囲にカバーされる。だから本発明の保護範囲は権利要求書が限定される保護範囲を標準とする。